(57)【要約】【課題】設定情報再設定装置が現地設定情報を読み出し、書き込みを行うことで、低コストで、複数ユニット間通信を複雑化させることなく確実に室内機の現地設定情報を再設定することができる空気調和機のメンテナンスシステムを提供すること。【解決手段】本発明は、室内機現地設定装置と、室内機現地設定装置で設定された現地設定情報を記憶する室内機不揮発性記憶装置と、室内機不揮発性記憶装置から現地設定情報を読み出す不揮発性記憶装置読み出し手段と、不揮発性記憶装置読み出し手段が読み出した現地設定情報を記憶する再設定不揮発性記憶装置と、再設定不揮発性記憶装置が記憶している現地設定情報を室内機不揮発性記憶装置へ書き込みを行う不揮発性記憶装置書き込み手段とを備え、室内機不揮発性記憶装置から現地設定情報を読み出し、交換後に、新しい室内機不揮発性記憶装置へ現地設定情報を書き込む。【選択図】図１
2012112631.tif 000002
【特許請求の範囲】
【請求項１】
現地設置状況に合った運転を行うように現地設定を行う室内機現地設定装置と、前記室内機現地設定装置で設定された現地設定情報を記憶する室内機不揮発性記憶装置と、前記室内機不揮発性記憶装置から現地設定情報を読み出す不揮発性記憶装置読み出し手段と、前記不揮発性記憶装置読み出し手段が読み出した現地設定情報を記憶する再設定不揮発性記憶装置と、前記再設定不揮発性記憶装置が記憶している現地設定情報を前記室内機不揮発性記憶装置へ書き込みを行う不揮発性記憶装置書き込み手段とを備え、前記室内機不揮発性記憶装置から現地設定情報を読み出し、前記室内機不揮発性記憶装置を交換後に、新しい室内機不揮発性記憶装置へ現地設定情報を書き込むことを特徴とする空気調和機のメンテナンスシステム。
【請求項２】
室内機不揮発性記憶装置への電源を供給する電源供給装置を備えたことを特徴とする請求項１に記載の空気調和機のメンテナンスシステム。
【発明の詳細な説明】
【技術分野】
【０００１】
本発明は複数室内機を接続するマルチシステムにおいて、現地にて設定内容を交換後の制御装置に書き込みを行うことが可能な空気調和機のメンテナンスシステムに関するものである。
【背景技術】
【０００２】
従来、この種の空気調和機のメンテナンスシステムとしては、室内機の現地設定情報を室外機に記憶し、室内機の制御装置を交換し、交換後の室内機を室外機と接続することで室外機が室内機の現地設定情報を室内機に送信し、室内機の現地設定情報を再設定するものがあった（例えば、特許文献１参照）。
【０００３】
図４は特許文献１に記載された従来の空気調和機のメンテナンスシステムを示すものである。図４に示すように、複数台の室内機４１Ａ〜４１Ｃは室外機５と一対の通信線で接続され、室内機不揮発性記憶装置４２Ａ〜４２Ｃと、室内機現地設定装置４３Ａ〜４３Ｃと、室外機不揮発性記憶装置５２から構成されている。
【先行技術文献】
【特許文献】
【０００４】
【特許文献１】特開２００２−９９３０４号公報
【発明の概要】
【発明が解決しようとする課題】
【０００５】
しかしながら、前記従来の構成では、複数室内機を接続するマルチ型の空気調和機において全ての室内機の現地設定情報を室外機に記憶するには膨大な不揮発性記憶装置が必要となりコストがかかると共に、複数ユニット間の通信が複雑となる。さらには、室内機、室外機の制御装置を同時に交換できないという課題を有していた。
【０００６】
本発明は上記従来の課題を解決するもので、設定情報再設定装置が現地設定情報を読み出し、書き込みを行うことで、低コストで、複数ユニット間通信を複雑化させることなく確実に室内機の現地設定情報を再設定することができる空気調和機のメンテナンスシステムを提供することを目的とする。
【課題を解決するための手段】
【０００７】
前記従来の課題を解決するために、本発明の空気調和機のメンテナンスシステムは、現地設置状況に合った運転を行うように現地設定を行う室内機現地設定装置と、室内機現地設定装置で設定された現地設定情報を記憶する室内機不揮発性記憶装置と、室内機不揮発性記憶装置から現地設定情報を読み出す不揮発性記憶装置読み出し手段と、不揮発性記憶装置読み出し手段が読み出した現地設定情報を記憶する再設定不揮発性記憶装置と、再設定不揮発性記憶装置が記憶している現地設定情報を室内機不揮発性記憶装置へ書き込みを行う不揮発性記憶装置書き込み手段とを備え、室内機不揮発性記憶装置から現地設定情報を読み出し、室内機不揮発性記憶装置を交換後に、新しい室内機不揮発性記憶装置へ現地設定情報を書き込むことにより、制御装置交換等のメンテナンス時、交換前の制御装置から現地設定内容を読み出し、読み出した現地設定内容を交換後の制御装置に現地設定内容の書き込みを行い、低コストで、複数ユニット間通信を複雑化させることなく確実に室内機の現地設定情報を再設定することができる。
【発明の効果】
【０００８】
本発明は、低コストで、複数ユニット間通信を複雑化させることなく確実に室内機の現地設定情報を再設定することができる空気調和機のメンテナンスシステムを提供することができる。
【図面の簡単な説明】
【０００９】
【図１】本発明の実施の形態１における空気調和機のメンテナンスシステムの構成図
【図２】本発明の実施の形態２における空気調和機のメンテナンスシステムの構成図
【図３】本発明の実施の形態３における空気調和機のメンテナンスシステムの構成図
【図４】従来の空気調和機のメンテナンスシステムの構成図
【発明を実施するための形態】
【００１０】
第１の発明の空気調和機のメンテナンスシステムは、現地設置状況に合った運転を行うように現地設定を行う室内機現地設定装置と、室内機現地設定装置で設定された現地設定情報を記憶する室内機不揮発性記憶装置と、室内機不揮発性記憶装置から現地設定情報を読み出す不揮発性記憶装置読み出し手段と、不揮発性記憶装置読み出し手段が読み出した現地設定情報を記憶する再設定不揮発性記憶装置と、再設定不揮発性記憶装置が記憶している現地設定情報を室内機不揮発性記憶装置へ書き込みを行う不揮発性記憶装置書き込み手段とを備え、室内機不揮発性記憶装置から現地設定情報を読み出し、室内機不揮発性記憶装置を交換後に、新しい室内機不揮発性記憶装置へ現地設定情報を書き込むことにより、制御装置交換等のメンテナンス時、交換前の制御装置から現地設定内容を読み出し、読み出した現地設定内容を交換後の制御装置に現地設定内容の書き込みを行い、低コストで、複数ユニット間通信を複雑化させることなく確実に室内機の現地設定情報を再設定することができる。
【００１１】
第２の発明の空気調和機のメンテナンスシステムは、特に第１の発明において、室内機不揮発性記憶装置への電源を供給する電源供給装置を備えたことにより、交換する制御装置に電源が供給できない場合でも、確実に室内機の現地設定情報を再設定することができる。
【００１２】
以下、本発明の実施の形態について、図面を参照しながら説明する。なお、この実施の形態によって本発明が限定されるものではない。
【００１３】
（実施の形態１）
図１は、本発明の第１の実施形態における空気調和機のメンテナンスシステムのシステムの構成図である。
【００１４】
図１において、設定情報再設定装置１は、再設定不揮発性記憶装置１３、不揮発性記憶装置書き込み手段１１、不揮発性記憶装置読み出し手段１２から構成されている。また、室内制御装置２１Ａ〜２１Ｃは、室内機不揮発性記憶装置２２Ａ〜２２Ｃ、室内機現地設定装置２３Ａ〜２３Ｃから構成されている。
【００１５】
以上のように構成された空気調和機のメンテナンスシステムについて、以下その動作、作用を説明する。
【００１６】
まず、制御装置交換等のメンテナンス時、交換前の室内制御装置２１Ａ〜２１Ｃに設定情報再設定装置１を接続することで、設定情報再設定装置１は不揮発性記憶装置読み出し手段１２にて、室内機不揮発性記憶装置２２Ａ〜２２Ｃに書き込まれている現地設定情報を読み出し、再設定不揮発性記憶装置１３に記憶する。次に、交換後の室内制御装置２１Ａ〜２１Ｃに設定情報再設定装置１を接続することで、設定情報再設定装置１は不揮発性記憶装置書き込み手段１１にて、再設定不揮発性記憶装置１３に記憶されている現地設定
情報を室内機不揮発性記憶装置２２Ａ〜２２Ｃに書き込みを行う。
【００１７】
以上のように、本実施の形態においては、制御装置交換等のメンテナンス時、設定情報再設定装置にて交換前の制御装置から現地設定内容を読み出し、読み出した現地設定内容を交換後の制御装置に現地設定内容の書き込みを行い、低コストで、複数ユニット間通信を複雑化させることなく確実に室内機の現地設定情報を再設定することができる。
【００１８】
（実施の形態２）
図２は、本発明の第２の実施形態における空気調和機のメンテナンスシステムのシステム構成図を示すものである。なお、実施の形態１で説明した部分については同じ符号を用い説明を省略する。
【００１９】
電源供給装置１４は設定情報再設定装置１を室内制御装置２１Ａ〜２１Ｃに接続することで、室内機不揮発性記憶装置への電源を供給する。
【００２０】
以上のように、本実施の形態においては、制御装置交換等のメンテナンス時、交換する制御装置に電源を供給することなく、設定情報再設定装置にて交換前の制御装置から現地設定内容を読み出し、読み出した現地設定内容を交換後の制御装置に現地設定内容の書き込みを行い、交換する制御装置に電源が供給できない場合でも、確実に室内機の現地設定情報を再設定することができる。
【００２１】
（実施の形態３）
図３は、本発明の第３の実施形態における空気調和機のメンテナンスシステムのシステム構成図を示すものである。なお、実施の形態１、２で説明した部分については同じ符号を用い説明を省略する。
【００２２】
現地設定装置１５は室内機の現地設置状況に合った運転を行うように現地設定を行い、不揮発性記憶装置書き込み手段１１にて、設定された現地設定情報を室内機不揮発性記憶装置２２Ａ〜２２Ｃに書き込みを行う。
【００２３】
以上のように、本実施の形態においては、室内機の室内機現地設定装置が不要となり、更なる低コスト化が実現できる。
【産業上の利用可能性】
【００２４】
以上のように、本発明の空気調和機のメンテナンスシステムは交換する制御装置に電源を供給することなく、設定情報再設定装置にて交換前の制御装置から現地設定内容を読み出し、読み出した現地設定内容を交換後の制御装置に現地設定内容の書き込みを行い、交換する制御装置に電源が供給できない場合でも、確実に室内機の現地設定情報を再設定することができる。
【符号の説明】
【００２５】
１  設定情報再設定装置
１１  不揮発性記憶装置書き込み手段
１２  不揮発性記憶装置読み出し手段
１３  再設定不揮発性記憶装置
１４  電源供給装置
１５  現地設定装置
２１Ａ〜２１Ｃ  室内制御装置
２２Ａ〜２２Ｃ  室内機不揮発性記憶装置
２３Ａ〜２３Ｃ  室内機現地設定装置
【図１】
2012112631.tif 000003
【図２】
2012112631.tif 000004
【図３】
2012112631.tif 000005
【図４】
2012112631.tif 000006